(57)【要約】【課題】ズームショット完了時、画角補正機能によるズームレンズ動作ではズームショット状態を完了状態にし続けることを可能にした撮影システムを提供する。【解決手段】指令信号により、ズーム、フォーカスを駆動するレンズ装置と、レンズ装置への指令値を記憶する複数の記憶部と、各記憶部に対応した複数の選択手段と、各選択手段に対応した複数の状態表示手段を有する指令装置とを有する撮影システムであって、一つの選択手段を選択することによって、対応する記憶部に記憶された指令値をレンズ装置に送信し、レンズ装置は指令値に基づいてズームを駆動し、状態表示手段のそれぞれは、指令値に応じてズームが駆動している間に第１の表示を、指令値までズームが駆動した状態で第２の表示を、それ以外のズームの状態で第３の表示を表示し、指令装置が指令値をレンズ装置に送信した後、レンズ装置の状態を判定し、判定に基づいて状態表示手段を第３の表示に変更する。【選択図】図１
2011043583.tif 000002
【特許請求の範囲】
【請求項１】
ズームレンズとフォーカスレンズを駆動することができるレンズ装置と、
前記レンズ装置への指令値を記憶する複数の記憶部と、前記各記憶部に対応した複数の選択手段と、前記各選択手段に対応した複数の状態表示手段を有する指令装置と、
を有する撮影システムであって、
前記選択手段の一つを選択することによって、対応する記憶部に記憶された前記指令値を前記レンズ装置に送信し、前記レンズ装置は前記指令値に基づいてズームレンズを駆動することが可能であり、
前記複数の状態表示手段のそれぞれは、対応する前記指令値に応じてズームレンズが駆動している間に第１の表示を、対応する前記指令値までズームレンズが駆動した状態で第２の表示を、それ以外のズームレンズの状態で第３の表示を表示し、
前記指令装置が前記指令値を前記レンズ装置に送信した後、前記レンズ装置の状態を判定し、前記判定に基づいて前記状態表示手段を第３の表示に変更する、ことを特徴とする撮影システム。
【請求項２】
前記指令値は画角であり、前記レンズ装置は、ズーム位置とフォーカス位置から画角を算出する、請求項１に記載の撮影システム。
【請求項３】
前記指令値はズーム位置であり、前記レンズ装置は、ズーム位置とフォーカス位置から画角を算出し、
前記判定は、前記指令値であるズーム位置に対応する画角と、前記レンズ装置から前記指令装置に送信される画角との比較に基づいて行われる、
請求項１に記載の撮影システム。
【請求項４】
前記レンズ装置は、フォーカスレンズが駆動する時に、ズームレンズを駆動して画角を一定に保つ画角補正機能を有し、ズーム位置と、画角補正機能によるズームレンズの最大移動量である最大画角補正量を前記指令装置に送信し、
前記指令値はズーム位置であり、
前記判定は、前記指令値であるズーム位置と、前記レンズ装置から前記指令装置に送信されるズーム位置と、前記最大画角補正量との比較に基づいて行われる、
請求項１に記載の撮影システム。
【請求項５】
前記レンズ装置は、フォーカスレンズが駆動する時に、ズームレンズを駆動して画角を一定に保つ画角補正機能を有し、ズーム位置と、前記画角補正機能の有効または無効を表す信号を前記指令装置に送信し、
前記指令値はズーム位置であり、
前記判定は、前記画角補正機能が有効であれば、前記指令値であるズーム位置と、前記レンズ装置からのズーム位置との比較に基づいて行われる、
請求項１に記載の撮影システム。
【請求項６】
前記最大画角補正量は、予め前記指令装置に与えられている所定の値であることを特徴とする請求項４記載の撮影システム。
【請求項７】
前記指令装置は予め複数の前記最大画角補正量を有し、前記指令装置は前記レンズ装置を認識すると前記複数の最大画角補正量から選択する、ことを特徴とする請求項４記載の撮影システム。
【請求項８】
前記レンズ装置は予め前記最大画角補正量を有し、前記レンズ装置は前記画角補正機能によるズーム位置の最大移動量を前記指令装置に通知する通知手段を備える、ことを特徴とする請求項４記載の撮影システム。
【請求項９】
前記レンズ装置は、ズーム位置から、前記画角補正機能によるズーム位置の最大移動量を算出する算出手段を備える、ことを特徴とする請求項４記載の撮影システム。
【請求項１０】
前記レンズ装置から前記指令装置に送信する信号は、前記算出手段によって算出した最大画角補正量を含む、ことを特徴とする請求項９記載の撮影システム。
【請求項１１】
前記表示手段はＬＥＤであり、前記ＬＥＤの点灯の状態によって状態を表示することを特徴とする請求項１〜９の撮影システム。
【発明の詳細な説明】
【技術分野】
【０００１】
本発明は、テレビレンズ、ビデオレンズ等を用いた光学装置及び、それらを用いた撮影装置に関するものである。
【背景技術】
【０００２】
テレビやビデオの撮影手法として様々な手法がとられるが、その１つとして、あるズーム倍率で被写体を撮影中に、異なるズーム倍率に変更し、再度元のズーム倍率で撮影を続けるといった撮影手法がある。
【０００３】
従来、この種の撮影手法をとるために、特許文献１に開示されているように、予め任意のズームレンズ位置を記憶させておき、撮影中スイッチ等の入力により、記憶位置まで自動で駆動させる機能（以下、ショット機能）が知られている。
【０００４】
ショット機能はズームだけでなく、フォーカスやアイリス等を制御対象とする場合もあるが、以下ズームのショット機能（以下、ズームショット）について説明する。
【０００５】
ズームショットは、ショットボックスを用いる方法が、特許文献１に開示されている。ショットボックス内のプリセット部に予めズーム位置を記憶させておき、撮影中にプリセットされたズーム位置に切り替えることで、瞬時に意図する映像撮影を得ることができる。
【０００６】
一方、特許文献２に開示されているレンズ装置は、フォーカス駆動時の画角変化を補正するため、自動でズームレンズを駆動する画角補正機能が搭載されている。この画角補正機能により、撮影者が画角変化を意識することのないフォーカス調整を可能としている。
【０００７】
又、特許文献３に開示されているショットボックスでは、入力スイッチにスイッチのON/OFFの状態を示すLEDが備えられており、ショットの状態が表示される。このショットの状態を通知する手段であるLEDによって、ズームショットの駆動中及び完了等のショットの状態を示すことで、操作者が撮影中にショットの状態を確認することも容易になった。
【０００８】
ここで、ショット状態について説明する。ショット状態は大きく動作状態、完了状態、通常状態の３つに分類される。各ショット状態において、LEDは動作状態時が点滅、完了状態時が点灯、通常状態時が消灯する。
【０００９】
動作状態とは、ショット実行によりズームレンズが駆動している状態を示している。完了状態とは、ズームショットによって記憶位置にズームレンズが停止している状態である。又、通常状態とは、ズームデマンド等のズームショット以外の操作手段によるズーム操作中、又は操作後の状態であり、ズームレンズ位置がズームショットとは無関係の状態である。
【００１０】
この様に、操作者にショット状態と、ズームショットによるズームレンズ位置を通知することで、操作者は現在のレンズの駆動状態やズームレンズ位置を迅速に把握できる。又、次に実行するショット位置を容易に判断することができ、ズームショットを含むスムーズなズーム操作が可能となる。
【先行技術文献】
【特許文献】
【００１１】
【特許文献１】特開２００１−０７４９９９号公報
【特許文献２】特開２００１−０４２１９８号公報
【特許文献３】特開２００１−１２５１６２号公報
【発明の概要】
【発明が解決しようとする課題】
【００１２】
上述のような完了状態を持つショット機能を有する撮影システムにおいては、ズームショット完了状態において、画角補正機能によりズーム位置が変化するとショット状態が通常状態に遷移してしまう。
【００１３】
ズームショットによって予め記憶されていたズーム位置まで駆動して停止した完了状態に移行した後、画角補正機能によりズームレンズの位置が変化すると、記憶されているズームショット完了位置と実際のズーム位置に差異が生じる。
画角補正機能によるズームレンズのズーム位置の変化も、ズームショット以外の操作に含まれるため、ショット状態は通常状態に移行する。つまり、ズームショット完了後、ズームを意識的に駆動していないにもかかわらず、通常状態に移行してしまう。このため、ショット状態通知手段であるＬＥＤは消灯状態になり、現在のズーム位置や次のショット位置を判断しにくいという問題があった。
【００１４】
ズームショット完了後、被写体距離の微妙な変化によりフォーカス調整することは少なくない。操作者からすると、フォーカスのみの操作であるため、ショット完了状態は維持され、ショット状態通知手段であるＬＥＤは点灯し続けるのが自然である。よって、画角補正機能によるズームレンズの位置の変化によっては、ショット状態を更新しないことが望ましい。
そこで、ズームレンズ位置の変化を検出する際に、画角補正機能でズームが動かされているのか、意図してズームが操作されているのかを識別する必要がある。
【００１５】
さらに、ショットボックスとは別にズーム操作装置を備えたレンズシステムにおいては、画角補正中にズーム操作される可能性もある。よって画角補正機能によるズームレンズ位置の最大変化量（最大画角補正量）を超えるズームレンズ位置の変化を検出した場合は、画角補正機能以外でのズーム操作があったと判断し、ショット状態を通常状態に移行させる必要がある。
【００１６】
画角補正とは、フォーカスが移動した際のフォーカスレンズの移動に起因する画角の変動を、フォーカス操作によって画角が変化しないように、ズームレンズの移動によって補正するものである。画角補正時に駆動されるズームレンズの最大移動量は、ズームレンズの焦点距離に依存する。ズーム位置が望遠端である時に、フォーカスを至近から無限に駆動した場合が、画角補正のためのズームレンズの移動量が最大となる。ズーム位置が望遠端における焦点距離は、レンズ種によって異なる。又、ズーム位置によって画角補正時のズームレンズの移動量は異なる。
【００１７】
よって、ショットボックスは接続するレンズの焦点距離によって、画角補正時の最大移動量が異なるため、画角補正のためのズームレンズの最大移動量をズームレンズと送受信する必要がある。
【００１８】
本発明の目的は、上記の諸条件を考慮しつつ、ズームショット完了時、画角補正機能によるズームレンズ動作ではズームショット状態を完了状態にし続けることを可能にした撮影システムを提供することである。
【課題を解決するための手段】
【００１９】
上記の目的を達成するために、本発明の撮影システムは、該レンズ装置への指令値を記憶する複数の記憶部と、前記各記憶部に対応した複数の選択手段と、前記各選択手段に対応した複数の状態表示手段を有する指令装置と、ズームとフォーカスを駆動することができるレンズ装置と、を有し、該選択手段の一つを選択することによって、対応する記憶部に記憶された該指令値を該レンズ装置に送信し、該レンズ装置は該指令値に基づいてズームを駆動することが可能であり、前記複数の状態表示手段のそれぞれは、対応する前記指令値に応じてズームが駆動している間に第１の表示を、対応する前記指令値までズームが駆動した状態で第２の表示を、それ以外のズームの状態で第３の表示を表示し、該指令装置が該指令値を該レンズ装置に送信した後、該レンズ装置の状態を判定し、該判定に基づいて、該状態表示手段を第３の表示に変更する、ことを特徴とする。
【発明の効果】
【００２０】
本発明によれば、ショット完了後にズーム位置が変更された際、画角補正機能の補正駆動によるものか、操作者のズーム操作によるものかを認識できるようになる。これにより、ショット完了後のショット状態を、完了状態に正しく保つことを可能にした撮影システムを提供することができる。
【図面の簡単な説明】
【００２１】
【図１】本発明の実施例１〜４の構成を表すブロック図である。
【図２】実施例１の概念図である。
【図３】実施例１で用いるレンズ−ショットボックス間の通信データである。
【図４】実施例１で用いるレンズとショットボックスの接続時のフローチャートである。
【図５】実施例１〜４で用いるズームショット実行から完了までのレンズとショットボックスのフローチャートである。
【図６】実施例１のズームショット完了から画角補正時のフローチャートである。
【図７】実施例２〜３の概念図である。
【図８】実施例２で用いる画角補正データである。
【図９】実施例２で用いるレンズ−ショットボックス間の画角補正データの送受信のフローチャートである。
【図１０】実施例２で用いるレンズ−ショットボックス間の通信データである。
【図１１】実施例２〜４で用いるレンズとショットボックスの接続時のフローチャートである。
【図１２】実施例２のズームショット完了から画角補正時のフローチャートである。
【図１３】実施例３で用いるレンズ−ショットボックス間の通信データである。
【図１４】実施例３のズームショット完了から画角補正時のフローチャートである。
【図１５】実施例４の概念図である。
【図１６】実施例４で用いるレンズ−ショットボックス間の通信データである。
【図１７】実施例４のズームショット完了から画角補正時のフローチャートである。
【発明を実施するための形態】
【００２２】
以下に、本発明の好ましい実施の形態を、添付の図面に基づいて詳細に説明する。
【実施例１】
【００２３】
以下、図１〜６を参照して、本発明の、第１の実施例の撮影システムについて説明する。
【００２４】
図１は本実施例の撮影システムの機能ブロック図である。撮影システムは、レンズ装置１００、ショットボックス２００、ズームデマンド３００を有する。レンズ装置１００は、主として、フォーカスレンズ１０１、ズームレンズ１０２、演算部１０７、通信部１０８、画角補正部１０９から構成される。フォーカスレンズ１０１は物体距離を変化させるレンズであり、ズームレンズ１０２は焦点距離を変化させるレンズである。フォーカスレンズ１０１には、フォーカス駆動部１０３とフォーカス位置検出部１０４が接続されており、ズームレンズ１０２には、ズーム駆動部１０５とズーム位置検出部１０６が接続されている。これら位置検出部により検出した位置信号を演算部１０７と画角補正部１０９に出力する。
【００２５】
演算部１０７は、フォーカスレンズ１０１を駆動するためにフォーカス駆動部１０３へ駆動信号を出力し、ズームレンズ１０２を駆動するためにズーム駆動部１０５へ駆動信号を出力する。又、画角データを通信部１０８に出力する。
【００２６】
通信部１０８は、ショットボックス２００との通信を行う。画角データをショットボックス２００に送信し、ショットボックス２００から受信したズームショット指令信号と、画角要求信号を演算部１０７に出力する。又、ズームショット完了時にはズームショット完了画角データをショットボックス２００に出力する。
【００２７】
画角補正部１０９は、フォーカスレンズとズームレンズの位置信号から画角を算出し、フォーカスレンズ１０１の位置信号の変化による画角変化を補正するためのズーム位置変化量と、画角データを演算部１０７に出力する。画角データは、ズームレンズ１０２とフォーカスレンズ１０１の位置により算出する。
【００２８】
ショットボックス２００は、複数の選択手段である入力スイッチ２０１a〜２０１c、演算部２０２、記憶部２０３、通信部２０４、記憶スイッチ２０５、複数の表示部（状態表示部）２０６a〜２０６c、フォーカス操作部２０７から構成される。入力スイッチ２０１a〜２０１cは、ＯＮとＯＦＦを切り替えるスイッチであり、入力スイッチ２０１a〜２０１cがＯＮに切り替わると演算部２０２にスイッチ指令信号を出力する。演算部２０２は、入力したスイッチ指令信号に対応したズームショットの指令位置を記憶部２０３から読み出し、ズームショット指令信号として通信部２０４に出力する。記憶部２０３は、入力スイッチ２０１（ａ〜ｃ）の各スイッチに対応付けたズームショットの指令値である指令位置と、ズームショット完了時の画角データを記憶するメモリである。通信部２０４は、レンズ装置１００と通信を行う。レンズ装置１００にズームレンズ位置データを要求する画角要求信号を出力し、レンズ装置１００から画角データとズームショット完了画角データを受信する。受信した画角データは演算部２０２に出力し、ズームショット完了画角データは記憶部２０３に出力する。記憶スイッチ２０５は、記憶モード切替スイッチである。記憶スイッチ２０５がＯＮの時は、ショットボックス２００は記憶モードに、ＯＦＦの時は撮影モードになる。ショットボックス２００は、記憶モード時に入力スイッチ２０１a〜２０１cが押されると、押された入力スイッチ２０１a〜２０１cに対応づけて記憶部２０３にズームレンズ位置データを記憶する。
【００２９】
撮影モード時に入力スイッチ２０１a〜２０１cが押されると、ズームショット指令信号が演算部２０２に出力されて、ズームショットを実行する。表示部２０６a〜２０６cは、ショット状態通知手段であり、入力スイッチ２０１a〜２０１cの各スイッチに付属するＬＥＤである。演算部２０２により、ショット動作中の時は点滅（第１の表示）、ショット完了は点灯（第２の表示）、それ以外は消灯（第３の表示）し、点灯状態によって状態を表示する。フォーカス操作部２０７は、操作者に操作されると通信部２０４にフォーカス指令信号を出力する。ズームデマンド３００は、ズーム操作部３０１と通信部３０２から構成される。ズーム操作部３０１は、操作者に操作されるとズーム指令信号を通信部３０２に出力する。通信部３０２は、レンズ装置１００と通信を行う。入力したズーム指令信号をレンズ装置に出力する。
【００３０】
図２は、本実施例におけるズームショット完了から画角補正によりズームレンズの位置が変化する間の、ズームショットの状態遷移を表した図である。
図２（ａ）において、ズームショット完了時にズームレンズが位置２１にある状態において、フォーカス操作された場合、画角補正が働き、ズームレンズが位置２２に移動した状態を示す。さらに、画角補正後に、ズームデマンド３００からの指令により、ズームレンズを位置２２から位置２３に駆動した状態を示す。
【００３１】
図２（ｂ）において、図２（ａ）のズームレンズの各位置２１，２２、２３に対応した画角、ズームショット状態、ズームショット完了時の画角として記憶部２０３に記録された画角、及び、フォーカスの状態を示す。又、ズームレンズは、位置２１、２２、２３の順に時系列に移動している。画角は、レンズ装置１００の画角補正部１０９にて算出される画角である。ズームショット状態は、ズームショットによって記憶位置にズームレンズが停止している完了状態、ズームショット以外の操作手段によるズーム操作中や、ズームレンズ位置がズームショットとは無関係の状態である通常状態を示す。ズームショット完了時の画角は、ズームショット完了時にレンズ装置１００から送信される画角であって、記憶部２０３内に記憶されている画角である。
【００３２】
画角補正機能は画角を一定に補正するため、図２（ｂ）の２１と２２では画角は同値であり、ズームレンズは位置２１、２２で同値αとなる。ズームレンズ位置２３では、ズーム操作により画角はβに変化することを示している。
【００３３】
本実施例では、図２（ａ）のズームショット完了時の位置２１から、画角補正後の位置２２までのズームレンズが移動するときのショット状態の遷移について説明する。
【００３４】
図３は、本実施例におけるレンズ装置１００−ショットボックス２００間の通信簡略フローである。図３に示す画角要求信号は、ショットボックス２００からレンズ装置１００に送信される画角を要求する信号である。画角データは、画角補正部１０９にて算出され、画角要求信号に対して、レンズ装置１００からショットボックス２００に送信されるデータである。ズームショット指令信号は、ショットボックス２００の入力スイッチ２０１（ａ〜ｃ）の入力により、ショットボックス２００からレンズ装置１００に送信されるズームショットの駆動指令である。ズームショット完了画角データは、ズームショット完了時に、レンズ装置１００からショットボックス２００に送信されるズームショット完了通知である。
【００３５】
図３（ａ）は、画角要求信号と画角データの送受信の簡略フローを、図３（ｂ）は、ズームショット指令信号とズームショット完了画角データの送受信の簡略フローを示す。
図３（ａ）において、画角要求信号は、レンズ装置１００とショットボックス２００が接続している間、送受信されるデータであり、画角読み出しコマンド“zz”で構成されている。レンズ装置１００は、画角要求信号の画角読み出しコマンド“zz”を検出すると、画角補正部１０９にて画角を算出し、画角読み出しコマンド“zz”に画角“cz”をつけた画角データをショットボックス２００に返信する。
【００３６】
図３（ｂ）において、ズームショット指令信号はズームレンズ位置読み出しコマンド“zs”とズームショット指令位置“aa”から構成される。図１の入力スイッチ２０１（ａ〜ｃ）が入力されると、ショットボックス２００はズームレンズ位置読み出しコマンド“zs”にズームショット指令位置“aa”をつけて、ズームショット指令信号をレンズ装置１００に送信する。レンズ装置１００は、ズームレンズ位置読み出しコマンド“zs”を検出するとズームショット指令位置“aa”までズームレンズ１０２を駆動する。ズームレンズ１０２が“aa”まで到達すると、画角補正部１０９にて画角を算出し、ズームレンズ位置読み出しコマンド“zs”に画角“cz”をつけたズームショット完了画角データをショットボックス２００に返信する。
【００３７】
図４は、レンズ装置１００−ショットボックス２００間で行われるズームデータの送受信のフローチャートである。
まず、ショットボックス２００の処理について説明する。ショットボックス２００はステップＳ４０１でレンズと接続すると、ステップＳ４０２に進みレンズ装置１００に画角要求信号を送信し、ステップＳ４０３に進む。ステップＳ４０３ではレンズ装置１００から画角データ返信の有無を判定し、返信があればステップＳ４０４に進み、なければステップＳ４０３に戻る。
【００３８】
次に、レンズ装置１００の処理について説明する。レンズ装置１００は、ステップＳ４０５でショットボックス２００と接続すると、ステップＳ４０６に進む。ステップＳ４０６では、ショットボックス２００から画角要求信号の有無を判定し、要求があればステップＳ４０７に進み、なければステップＳ４０６に戻る。ステップＳ４０７では、ショットボックス２００に画角補正部１０９にて算出した画角データを返信し、ステップＳ４０８に進む。
【００３９】
図５は、入力スイッチ２０１（ａ〜ｃ）入力によるズームショット処理時の、レンズ装置１００-ショットボックス２００間で行われるズームショット指令信号とズームショット完了画角データの送受信のフローチャートである。
【００４０】
まず、ショットボックス２００の処理について説明する。ステップＳ５０１で予めズームレンズの位置を記憶したショットボックス２００のスイッチ２０１aが入力されると、ステップＳ５０２に進む。ステップＳ５０２では、記憶位置（aaa）までズームレンズ１０２を駆動するようズームショット指令信号をレンズ装置１００に送信し、ステップＳ５０３に進む。ステップＳ５０３では、レンズ装置１００から画角データ返信の有無を判定し、返信があればステップＳ５０４に、なければステップＳ５０３に戻る。ステップＳ５０４では、レンズ装置１００から受信した画角を記憶部２０３に記憶し、ステップＳ５０５に進みズームショット状態を完了にする。
【００４１】
次に、レンズ装置１００の処理について説明する。ステップＳ５０６で、ショットボックス２００からズームショット指令信号を受信すると、ステップＳ５０７に進みズームレンズ１０２を駆動してステップＳ５０８に進む。ステップＳ５０８では、指令位置まで到達したか判定し、到達していればステップＳ５０９に進み、そうでなければステップＳ５０７に戻る。ステップＳ５０９では指令位置に到達したことをショットボックス２００にズームショット完了画角データを返信し、ステップＳ５１０に進む。
【００４２】
図６は、ズームレンズ１０２が完了位置２１から画角補正後のズームレンズ位置２２まで移動する時の、レンズ装置１００とショットボックス２００のフローチャートである。
【００４３】
まずショットボックス２００での処理について説明する。ステップＳ６０１は、表示部２０６を点灯させ、ステップＳ６０２に進む。ステップＳ６０２では、レンズ装置１００に画角要求信号を送信しステップＳ６０３に進む。ステップＳ６０３では、レンズ装置１００から画角データの受信があるか判断し、あればステップＳ６０４に進み、なければステップＳ６０３に戻る。ステップＳ６０４では、ステップＳ５０４で記憶した画角とステップＳ６０３で受信した画角を比較し、変化があればステップＳ６０５に進み、なければステップＳ６０６に進む。ステップＳ６０５では、ズームショットの完了状態を通常状態に、つまり表示部２０６（ａ〜ｃ）を消灯し、ステップＳ６０６に進む。
【００４４】
次に、レンズ装置１００の処理について説明する。ステップＳ６０７でショットボックス２００からズームデータの要求があると、ステップＳ６０８に進み画角データを返信後、ステップＳ６０９に進む。ステップＳ６０６で通常状態になれば、表示部２０６（ａ〜ｃ）は消灯する。
【００４５】
以上より、レンズ装置１００−ショットボックス２００間で画角データを送受信し、ショットボックス２００では画角の変化によりショット状態を更新することで、画角補正機能時にＬＥＤを点灯し続けることができる。
【００４６】
本実施例では、レンズ装置１００−ショットボックス２００間で、図３に示すような画角データとズームショット完了画角データの構成としたが、図３の構成に限らず画角データを含むデータであればよい。
又、ショット状態通知手段としてＬＥＤを用いたが、操作者がショット状態を容易に確認できるものであればよい。
【実施例２】
【００４７】
以下、図１、図５、図７〜１２を参照して、本発明の第２の実施例による、撮影システムについて説明する。図１、図５の実施例１と同一の機能構成は、同一の符号を付け、説明は省く。
【００４８】
図１の演算部１０７は、画角ではなくズームレンズ位置を、又、画角補正によって移動するズームレンズ１０２の最大移動量である最大画角補正量を、通信部１０８に出力する点が、実施例１と異なる。又、図１の記憶部２０３は、ズームショット完了時に画角ではなく、ズームレンズ位置を記憶する点が実施例１と異なる。
【００４９】
図７は、本実施例におけるズームショット完了から画角補正によるズームレンズ位置の変化によるズームショットの状態遷移を表した図である。
【００５０】
図７（ａ）において、ズームショット完了時においてズームレンズが位置７１にある状態において、画角補正が働いてズームレンズが位置７２に移動し、さらに画角補正後にズーム操作されてズームレンズが位置７３に移動している状態を示す。
【００５１】
図７（ｂ）において、図７（ａ）のズームレンズの各位置７１〜７３に対応したズームレンズ位置、ズームショット状態、ズームショット完了時のズームレンズ位置として記憶部２０３に記録されたズームレンズ位置、及び、フォーカスの状態を示す。又、ズームレンズは、位置７１、７２、７３の順に時系列に移動している。
【００５２】
又、図７（ａ）中に、最大画角補正量７４ズームショット完了閾値７５を示す。ズームショット完了閾値７５は、ズームショット完了状態において他の操作手段により、ズームショット完了閾値７５を超えるズームレンズの位置の変化を検出した場合、ショット状態を通常状態に遷移する閾値である。ズームショット完了閾値７５は、予めショットボックス２００で記憶部２０３に記憶しているものとする。
【００５３】
図８は、本実施例におけるレンズ装置１００とショットボックス２００の通信簡略フローである。
図８に示す画角補正データ要求信号は、レンズ装置１００とショットボックス２００が接続時に一度、ショットボックス２００からレンズ装置１００に送信され、画角補正読み出しコマンドから構成される。図画角補正データは、画角補正データ要求信号に対して、レンズ装置１００がショットボックス２００に返信するデータであり、画角補正読み出しコマンドと最大画角補正量から構成される。
【００５４】
図８において、画角補正読み出しコマンドは“cn”であり、ショットボックス２００からレンズ装置１００に送信する。レンズ装置１００は画角補正読み出しコマンド“cn”を検出すると最大画角補正量“xxx”をつけた画角補正データを、ショットボックス２００に返信する。
【００５５】
図９は、本実施例におけるレンズ装置１００とショットボックス２００の接続時のフローチャートである。
【００５６】
まずショットボックス２００の処理について説明する。ステップＳ９０１においてショットボックス２００がレンズ装置１００と接続されショットボックス２００がレンズ装置１００を認識すると、ステップＳ９０２に進む。ステップＳ９０２では、レンズ装置１００に画角補正データ要求信号を送信し、ステップＳ９０３に進む。ステップＳ９０３では、レンズ装置１００から画角補正データ返信の有無を判定し、返信があればステップＳ９０４に進み、なければステップＳ９０３に戻る。ステップＳ９０４では、レンズ装置１００から受信した画角補正データの最大画角補正量を記憶部２０３に記憶してステップＳ９０５に進む。
【００５７】
次に、レンズ装置１００の処理について説明する。ステップＳ９０６においてショットボックス２００と接続すると、ステップＳ９０７に進む。ステップＳ９０７では、ショットボックス２００に画角補正データを返信し、ステップＳ９０８に進む。
【００５８】
以上より、ショットボックス２００は、接続したレンズ装置１００に対応した最大画角補正量、すなわち、ズームショット完了後に画角補正機能でズームレンズが駆動しても通常状態に移行しない許容範囲を所持できる。
【００５９】
図１０は、本実施例におけるレンズ装置１００−ショットボックス２００間の通信簡略フローである。
【００６０】
図１０（ａ）のズームレンズ位置要求信号は、ズームレンズ位置読み出しコマンド“zz”から構成される。又、ズームレンズ位置データは、ズームレンズ位置データ読み出しコマンド“zz”とズームレンズ位置“aa”から構成される。ショットボックス２００は、ズームレンズ位置要求信号をレンズ装置１００に送信する。レンズ装置１００はズームレンズ位置読み出しコマンド“zz”を検出すると、ズームレンズ位置“aa”をつけたズームレンズ位置データをショットボックス２００に返信する。
【００６１】
図１０（ｂ）のフォーカスレンズ位置要求信号は、フォーカスレンズ位置読み出しコマンド“ff”から構成される。又、フォーカスレンズ位置データは、フォーカスレンズ位置データ読み出しコマンド“ff”とフォーカスレンズ位置“dd”から構成される。ショットボックス２００は、フォーカスレンズ位置要求信号をレンズ装置１００に送信する。レンズ装置１００はフォーカスレンズ位置データ読み出しコマンド“ff”を検出すると、フォーカスレンズ位置“dd”をつけたフォーカスレンズ位置データをショットボックス２００に返信する。
【００６２】
図１０（ｃ）のズームショット指令信号は、ズームショット完了位置読み出しコマンド“zs”とズームショット指令位置から構成され、ズームショット完了位置データは、ズームショット完了位置読み出しコマンド“zs”とズームショット完了時のズームレンズ位置“aa”から構成される。
【００６３】
図１の入力スイッチ２０１（ａ〜ｃ）が入力されると、ショットボックス２００はズームショット位置読み出しコマンド“zs”に、ズームショット指令位置“aa”をつけてズームショット指令信号をレンズ装置１００に送信する。レンズ装置１００は、ズームショット位置読み出しコマンド“zs”を検出するとズームショット指令位置“aa”までズームレンズ１０２を駆動する。ズームレンズ１０２が“aa”まで到達すると、ズームショット位置読み出しコマンド“zs”にズームレンズ位置“aa”をつけたズームショット完了位置データをショットボックス２００に返信する。
【００６４】
本実施例では、レンズ装置１００-ショットボックス２００間で、図１１のフローチャートに従い、常に図１０（ａ）で示したズームレンズ位置要求信号とズームレンズ位置データを送受信する。
【００６５】
すなわち、ショットボックス２００においては、ステップＳ１１０１でレンズと接続すると、ステップＳ１１０２に進みレンズ装置１００にズームレンズ位置要求信号を送信し、ステップＳ１１０３に進む。ステップＳ１１０３ではレンズ装置１００からズームレンズ位置データ返信の有無を判定し、返信があればステップＳ１１０４に進み、なければステップＳ１１０３に戻る。
【００６６】
次に、レンズ装置１００においては、ステップＳ１１０５でショットボックス２００と接続すると、ステップＳ１１０６に進む。ステップＳ１１０６では、ショットボックス２００からのズームレンズ位置要求信号の有無を判定し、要求があればステップＳ１１０７に進み、なければステップＳ１１０６に戻る。ステップＳ１１０７では、ショットボックス２００にズームレンズ位置データを返信し、ステップＳ１１０８に進む。
【００６７】
図１０（ｂ）で示したフォーカスレンズ位置要求信号とフォーカスレンズ位置データも、同様に送受信しているものとする。
ズームショット実行後は、図５のフローチャートに従い、図１０（ｃ）で示したズームショット指令信号とズームショット完了位置データを送受信し、図７に示した位置７１でズームショットが完了しているものとする。ショットボックス２００は、記憶部２０３にレンズ装置１００からのズームショット完了位置データのズームレンズ位置を記憶している。
【００６８】
図１２は、ズームレンズ１０２がズームショット完了時の位置７１から画角補正後の位置７２まで移動する時のレンズ装置１００とショットボックス２００のフローチャートである。
【００６９】
まずショットボックス２００での処理について説明する。ステップＳ１２０１でズームショットが完了すると、ステップＳ１２０２に進み、図１０のズームレンズ位置要求信号、フォーカスレンズ位置要求信号をレンズ装置１００に送信し、ステップＳ１２０３に進む。ステップＳ１２０３では、レンズ装置１００のフォーカスレンズ位置データからフォーカス位置の変化の有無を判定し、変化があればステップＳ１２０５に進み、変化がなければステップＳ１２０４に進む。ステップＳ１２０４では、レンズ装置１００のズームレンズ位置データからズーム位置の変化の有無を判定し、変化があればステップＳ１２０７に進み、変化がなければステップＳ１２０８に進む。ステップＳ１２０５では、ズームレンズ位置の変化が最大画角補正量以上であるか判定し、ズームレンズ位置の変化が最大画角補正量以上であればステップＳ１２０７に進み、そうでなければステップＳ１２０６に進む。ステップＳ１２０６では、図７（ａ）のズームショット完了位置を図１０のズームレンズ位置に更新してステップＳ１２０８に進む。ステップＳ１２０７では、ショット状態を通常状態にし、表示部２０６のＬＥＤを消灯してステップＳ１２０８に進む。
【００７０】
次に、レンズ装置１００の処理について説明する。ステップＳ１２０９でショットボックスからズームレンズ位置要求信号、フォーカスレンズ位置要求信号を受信すると、ステップＳ１２１０に進む。ステップＳ１２１０では、図１０のズームレンズ位置データ、フォーカスレンズ位置データをショットボックス２００に返信し、ステップＳ１２１１に進む。
【００７１】
以上より、レンズとショットボックスの接続時に、レンズの所持するズームレンズの最大画角補正量をショットボックスに通知することで、レンズ毎に異なるズームレンズの最大画角補正量に対応できる。
【００７２】
本実施例では、レンズとショットボックスの接続時に、ズームレンズの最大画角補正量を送受信する方法を用いた。しかしショットボックス側で予めレンズ種別ごとに所定の最大画角補正量を所持しておき、接続時したレンズの種類によって選択する形式にしてもよい。
【実施例３】
【００７３】
以下、図１、図５、図７、図１１、１３〜１４を参照して、本発明の第３の実施例による、撮影システムについて説明する。図１、図５、図７の実施例１、２と同一の機能構成は、同一の符号を付け、説明は省く。
【００７４】
図１のレンズ装置１００は、画角補正部１０９にてズームレンズ１０２の位置により、常に最大画角補正量を算出する。又、算出した最大画角補正量を通信部１０８にてショットボックス２００に出力する点が異なる。
【００７５】
図１の演算部１０７は、画角ではなくズームレンズ位置を通信部１０８に出力する点、記憶部２０３は、ズームショット完了時に画角ではなく、ズームレンズ位置を記憶する点は実施例２と同様である。
【００７６】
本実施例の概念図は実施例２と同様に図７で示すことができる。
【００７７】
図１３は、本実施例におけるレンズ装置１００−ショットボックス２００間の通信簡略フローである。図１３において、ズームレンズ位置要求信号、ズームレンズ位置データ、ズームショット指令信号は実施例２で用いたものと同様の構成である。ズームショット完了位置データは、ズームショット位置読み出しコマンド“zs”と、ズームショット完了位置“aa”、画角補正部１０９にて算出したズームショット完了位置“aa”での最大画角補正量“cm”から構成される。
【００７８】
図１３（ａ）は、ズームレンズ位置要求信号とズームレンズ位置データの送受信の簡略フローを、図１３（ｂ）は、ズームショット指令信号とズームショット完了位置データの送受信の簡略フローを示す。
図１３（ａ）において、ズームレンズ位置要求信号とズームレンズ位置データの送受信のフローは実施例２で用いた図１０（ａ）と同様である。
【００７９】
図１３（ｂ）において、図１の入力スイッチ（ａ〜ｃ）が入力されると、ショットボックス２００はズームショット位置読み出しコマンド“zs”にズームショット指令位置“aa”をつけたズームショット指令信号をレンズ装置１００に送信する。レンズ装置１００は、ズームショット位置読み出しコマンド“zs”を検出すると、ズームショット指令位置“aa”までズームレンズ１０２を駆動する。ズームレンズ１０２が“aa”まで到達すると、画角補正部１０９にてズームレンズ位置“aa”での最大画角補正量を算出する。最大画角補正量を算出すると、識別データ“zs”にズームレンズ位置“aa”、算出した最大画角補正量“cm”をつけたズームショット完了位置データをショットボックス２００に返信する。
【００８０】
レンズ装置１００とショットボックス２００が接続している間は、図１１のフローチャートに従い、図１３（ａ）で示したズームレンズ位置要求信号とズームレンズ位置データを送受信する。
【００８１】
ズームショット実行時は、図５のフローチャートに従い、図１３（ｂ）で示したズームショット指令信号とズームショット完了位置データを送受信する。
【００８２】
図１４は、ズームレンズ１０２が図７のズームショット完了時の位置７１から画角補正後の位置７２まで移動する時のレンズ装置１００とショットボックス２００のフローチャートである。
【００８３】
まずショットボックス２００での処理について説明する。ステップＳ１４０１でズームショットを完了すると、ステップＳ１４０２に進む。ステップＳ１４０２では、ズームレンズ位置要求信号をレンズ装置１００に要求し、ステップＳ１４０３に進む。ステップＳ１４０３では、レンズ装置１００からのズームレンズ位置データ返信の有無を判定し、返信があればステップＳ１４０４に進み、なければステップＳ１４０３に戻る。ステップＳ１４０４では、レンズ装置１００から受信したズームレンズ位置データのズームレンズ位置と、図５のステップＳ５０４で記憶したズームショット完了位置データのズームショット完了位置を比較する。比較した差異がステップＳ５０４で記憶したズームショット完了位置データの最大画角補正量以上であればステップＳ１４０５に進み、そうでなければステップＳ１４０６に進む。ステップＳ１４０５では、ショット状態を通常状態に移行して、表示部２０６を消灯してステップＳ１４０６に進む。
【００８４】
次に、レンズ装置１００の処理について説明する。ステップＳ１４０７において、ショットボックス２００からズームレンズ位置要求信号の要求があると、ステップＳ１４０８に進む。ステップＳ１４０８では、画角補正部１０９にて、ズームレンズの最大画角補正量を算出し、ステップＳ１４０９に進む。ステップＳ１４０９では、ズームレンズ位置データを返信し、ステップＳ１４１０に進む。
【００８５】
以上より、最大画角補正量をレンズ側で常に算出してショットボックスに通知することで、レンズの焦点距離によって異なる最大画角補正量に対応できる。
【００８６】
本実施例では、最大画角補正量をレンズ側で算出してショットボックスに送信する方法を用いたが、ショットボックスが予め焦点距離に対応した最大画角補正量のデータテーブルを所持してもよい。
【実施例４】
【００８７】
以下、図１、図５、図１５〜１６を参照して、本発明の第４の実施例による、撮影システムについて説明する。図１、図５の実施例１〜３と同一の機能構成は同一の符号を付け、説明は省く。
【００８８】
尚、本実施例においては、演算部１０７は、画角データを通信部１０８に出力しない。又、記憶部２０３は、ズームショット完了時に、画角ではなくズームレンズ位置を記憶する。
【００８９】
図１５は、本実施例におけるズームショット完了から画角補正によるズームレンズ位置の変化によるズームショットの状態遷移を示す図である。
【００９０】
図１５（ａ）において、ズームショット完了時にズームレンズが位置１５１にある状態において、１５２は１５１のズームショット完了後に、フォーカス操作された場合、画角補正が働き、ズームレンズが位置１５２に移動した状態を示す。さらに、画角補正後に、ズームデマンド３００からの指令により、ズームレンズを位置１５２から位置１５３に駆動した状態を示す。
【００９１】
図１５（ｂ）において、図１５（ａ）のズームレンズの各位置１５１，１５２、１５３に対応したズームレンズ位置、ズームショット状態、ズームショット完了時のズームレンズの位置を示す。又、ズームレンズ位置１５１，１５２、１５３の順に時系列に移動している。ズームレンズの位置は、レンズ装置１００から送信されるズームレンズの位置であり、ズームショット状態は、第１の実施例で定義されている、完了状態、通常状態である。ズームショット完了時のズームレンズの位置は、ズームショット完了時にレンズ装置１００から送信され、ショットボックス２００の記憶部２０３に記憶されるズームレンズの位置である。
【００９２】
図１６は、本実施例におけるレンズ装置１００−ショットボックス２００間の通信簡略フローである。図１６中において、ズームレンズ位置要求信号は、ショットボックス２００からレンズ装置１００に送信されるズームレンズ位置を要求する信号である。同ズームレンズ位置データは、ズームレンズ位置要求信号に対して、レンズ装置１００からショットボックス２００に送信されるズームレンズ位置である。ズームショット指令信号は、ショットボックス２００の入力スイッチ２０１（ａ〜ｃ）の入力により、ショットボックス２００からレンズ装置１００に送信されるズームショットの駆動指令である。ズームショット完了位置データは、ズームショット完了時に、レンズ装置１００からショットボックス２００に送信されるズームショット完了通知である。
【００９３】
図１６（ａ）は、ズームレンズ位置要求信号とズームレンズ位置データの送受信の簡略フローを、図１６（ｂ）は、ズームショット指令信号とズームショット完了位置データの送受信の簡略フローを示す。
【００９４】
図１６（ａ）において、ズームレンズ位置要求信号は、レンズ装置１００とショットボックス２００が接続している間、送受信されるデータであり、ズームレンズ位置読み出しコマンド“zc”で構成されている。レンズ装置１００は、ズームレンズ位置要求信号のズームレンズ位置読み出しコマンド“zc”を検出すると、画角補正部１０９により画角補正中であるか否かを判定する。そしてズームレンズ位置読み出しコマンド“zc”に画角補正中であればONを、そうでなければOFFを示す画角補正ON/OFFデータ“on”とズームレンズ位置“aa”をつけたズームレンズ位置データをショットボックス２００に返信する。
【００９５】
図１６（ｂ）において、ズームショット指令信号とズームショット完了位置データは、実施例２の図１０と同様の構成で同様のフローである。
又、レンズ装置１００とショットボックス２００が接続している間は、図１１のフローチャートに従い、図１６（ａ）で示したズームレンズ位置要求信号とズームレンズ位置データを送受信する。ズームショット実行時は、図５のフローチャートに従い、図１６（ｂ）で示したズームショット指令信号とズームショット完了位置データを送受信する。
【００９６】
図１７は、ズームレンズ１０２が図１５のズームショット完了時の位置１５１から画角補正後の位置１５２まで移動する時のレンズ装置１００とショットボックス２００のフローチャートである。
【００９７】
まず、ショットボックス２００の処理について説明する。ステップＳ１７０１でズームショットが完了すると、ステップＳ１７０２に進み、レンズ装置１００にズームレンズ位置要求信号を要求し、ステップＳ１７０３に進む。ステップＳ１７０３では、レンズ装置１００からズームレンズ位置データの返信の有無を判定し、返信があればステップＳ１７０４に進み、なければステップＳ１７０３に戻る。ステップＳ１７０４では、レンズ装置１００からのズームレンズ位置データの画角補正ON/OFFデータを参照し、ONであればステップＳ１７０５に進み、OFFであればステップＳ１７０６に進む。ステップＳ１７０５では、ステップＳ５０４で記憶したズームショット完了位置データのズームショット完了位置を、ステップＳ１７０４で受信したズームレンズ位置データのズームレンズ位置に更新し、ステップＳ１７０６に進む。ステップＳ１７０６では、ズームショット完了位置とズームレンズ位置を比較し、差異があればステップＳ１７０７に進み、なければステップＳ１７０８に進む。ステップＳ１７０７では、表示部２０６を消灯し、ステップＳ１７０８に進む。
【００９８】
次に、レンズ装置１００の処理について説明する。ステップＳ１７０９でショットボックス２００からズームレンズ位置要求信号の要求があると、ステップＳ１７１０に進む。ステップＳ１７１０では、ズームレンズ位置データを返信し、ステップＳ１７１１に進む。
【００９９】
以上より、レンズからショットボックスに画角補正機能が有効であるか無効であるかのデータを通知することで、ショットボックスでは画角補正を行っているか否かを判定でき、画角補正時にショット状態を完了状態に保持できる。
【０１００】
以上、本発明の好ましい実施形態について説明したが、本発明はこれらの実施形態に限定されず、その要旨の範囲内で種々の変形及び変更が可能である。
【符号の説明】
【０１０１】
１  １０９  画角補正部
２  ２０１  入力スイッチ
３  ２０３  記憶部
４  ２０６  表示部
【図１】
2011043583.tif 000003
【図２】
2011043583.tif 000004
【図３】
2011043583.tif 000005
【図４】
2011043583.tif 000006
【図５】
2011043583.tif 000007
【図６】
2011043583.tif 000008
【図７】
2011043583.tif 000009
【図８】
2011043583.tif 000010
【図９】
2011043583.tif 000011
【図１０】
2011043583.tif 000012
【図１１】
2011043583.tif 000013
【図１２】
2011043583.tif 000014
【図１３】
2011043583.tif 000015
【図１４】
2011043583.tif 000016
【図１５】
2011043583.tif 000017
【図１６】
2011043583.tif 000018
【図１７】
2011043583.tif 000019